(57)【要約】【課題】煙感知室内に流入した煙が、感煙領域へと誘導され易いように構成した煙感知器を提供する。【解決手段】複数のラビリンス壁４を周設した煙感知室Ａ内に、発光部２を設けるとともに、この発光部２からの光を直接受光しない位置に受光部３を設けて感煙領域Ｂを構成し、隣接するラビリンス壁４間から感煙領域Ｂに流入して来た煙による散乱光を受光部３で受光することで、煙を検知するようにした煙感知器において、煙感知室Ａ内には発光部２と受光部３とに挟まれ、且つ、感煙領域Ｂを含まない狭領域Ｃが形成されており、受光部３の先端における狭領域Ｃとは反対側には、狭領域Ｃから流入して来た煙を感煙領域Ｂへと誘導する第一の誘導壁６ａが設けられていることを特徴としている。【選択図】図１
2008310730.tif 000002
【特許請求の範囲】
【請求項１】
複数のラビリンス壁を周設した煙感知室内に、発光部を設けるとともに、この発光部からの光を直接受光しない位置に受光部を設けて感煙領域を構成し、隣接するラビリンス壁間から感煙領域に流入して来た煙による散乱光を受光部で受光することで、煙を検知するようにした煙感知器において、
煙感知室内には発光部と受光部とに挟まれ、且つ、感煙領域を含まない狭領域が形成されており、受光部の先端における狭領域とは反対側には、狭領域から流入して来た煙を感煙領域へと誘導する第一の誘導壁が設けられていることを特徴とする煙感知器。
【請求項２】
複数のラビリンス壁を周設した煙感知室内に、発光部を設けるとともに、この発光部からの光を直接受光しない位置に受光部を設けて感煙領域を構成し、隣接するラビリンス壁間から感煙領域に流入して来た煙による散乱光を受光部で受光することで、煙を検知するようにした煙感知器において、
煙感知室内には発光部と受光部とに挟まれ、且つ、感煙領域を含まない狭領域が形成されており、発光部の先端における狭領域とは反対側には、狭領域から流入して来た煙を感煙領域へと誘導する第二の誘導壁が設けられていることを特徴とする煙感知器。
【発明の詳細な説明】
【技術分野】
【０００１】
本願発明は、煙を感知することで火災等を検知する煙感知器に関するものである。
【背景技術】
【０００２】
従来から、特開２００２−３５２３４６号公報（特許文献１）に示されるように、煙を感知することで火災等を検知する煙感知器は知られている。このものは、図６に示すように、複数のラビリンス壁９１を周設した煙感知室Ａ内に、発光部９２及び受光部９３が設けられており、隣接するラビリンス壁９１間から感煙領域Ｂに流入して来た煙による散乱光を受光部で受光することで、煙を検知するものである。また、煙感知室Ａの中心近傍には、遮光壁９４が設けられており、発光部９２から受光部９３に直行する光を遮ることで、煙感知の障害となる光りが受光部９３に入光するのを防いでいる。
【０００３】
よって、このものでは、受光部９３で受光した光量を受光信号に変換し、この受光信号がある閾値を超えたときに火災警報を発報する構成となっている。
【特許文献１】特開２００２−３５２３４６号公報
【発明の開示】
【発明が解決しようとする課題】
【０００４】
ところで、上記従来例である煙検知器では、発光部９２と受光部９３とに挟まれた領域（狭領域）Ｃは、発光部９２及び受光部９３が障壁になるため、外部から煙が流入されにくい領域となっている。よって、この方向から煙が進行して来た場合においては、煙の流入量が少ないため煙感知が遅れるおそれがあった。更に、遮光壁９４はその役割上、狭領域Ｃから感煙領域へと流入して来た煙を遮る位置に配置されるため、遮光壁９４を設けることによって、より煙感知が遅れるおそれがあった。
【０００５】
本願発明は、上記背景技術に鑑みて発明されたものであり、その課題は、煙感知室内に流入した煙が、感煙領域へと誘導され易いように構成した煙感知器を提供することである。
【課題を解決するための手段】
【０００６】
上記課題を解決するために、本願請求項１記載の発明では、複数のラビリンス壁を周設した煙感知室内に、発光部を設けるとともに、この発光部からの光を直接受光しない位置に受光部を設けて感煙領域を構成し、隣接するラビリンス壁間から感煙領域に流入して来た煙による散乱光を受光部で受光することで、煙を検知するようにした煙感知器において、煙感知室内には発光部と受光部とに挟まれ、且つ、感煙領域を含まない狭領域が形成されており、受光部の先端における狭領域とは反対側には、狭領域から流入して来た煙を感煙領域へと誘導する第一の誘導壁が設けられていることを特徴としている。
【０００７】
又、本願請求項２記載の発明では、複数のラビリンス壁を周設した煙感知室内に、発光部を設けるとともに、この発光部からの光を直接受光しない位置に受光部を設けて感煙領域を構成し、隣接するラビリンス壁間から感煙領域に流入して来た煙による散乱光を受光部で受光することで、煙を検知するようにした煙感知器において、煙感知室内には発光部と受光部とに挟まれ、且つ、感煙領域を含まない狭領域が形成されており、発光部の先端における狭領域とは反対側には、狭領域から流入して来た煙を感煙領域へと誘導する第二の誘導壁が設けられていることを特徴としている。
【発明の効果】
【０００８】
本願請求項１及び２記載の煙感知器においては、狭領域から流入した煙を感煙領域へと誘導する第一の誘導壁及び第二の誘導壁を設けているため、煙が流入し難い領域である狭領域の煙が感煙領域へと進行し易くなり、狭領域側から進行する煙の感知が遅れるのを防ぐことができる。
【発明を実施するための最良の形態】
【０００９】
図１〜４は、一実施形態である煙感知器を示している。この煙感知器は、煙を感知することで火災警報を行うものであり、図１に示すように、複数のラビリンス壁４を周設した煙感知室Ａ内に、発光部２を設けると共に、この発光部２からの光りを直接受光しない位置に受光部３を設けて感煙領域Ｂを構成し、複数のラビリンス壁４間の空隙１８から感煙領域Ｂに流入してきた煙の散乱光を受光部３で受光し、この受光量を受光信号に変換して、受光信号が閾値を超えたときに火災警報を行うように構成している。
【００１０】
以下、この煙感知器の具体的な構造を記す。図４に示すように、この煙感知器は、天井面等に取り付けられる感知器ボディ１１と、発光ダイオードＬやフォトダイオードＰの光学系素子や受光信号を監視して閾値を超えたときに火災発報信号を出力するマイコン等の回路部品が実装される回路基板１０と、煙感知室Ａが設けられ、発光部２、受光部３等の光学系部品とラビリンス壁４とを備えた光学基台１と、煙感知室Ａの内部に虫等が侵入するのを防止する防虫カバー１２と、火災を検知する警報音を鳴動するスピーカ１４と、保護カバー１５とで構成される。なお、図４の分解斜視図は天地が逆になっており、紙面下方側が天井面等に取り付けられる側となるが、ここでは、紙面上方を上方向、紙面下方を下方向として説明する。
【００１１】
感知器ボディ１１６は、回路基板１０が収容され、光学基台１、防虫カバー１２、スピーカ１４が収容された保護カバー１５が開口から突出した状態で組み付けられ、これらが一体に組み合わされて煙感知器として天井面等に取り付けられる。
【００１２】
光学基台１は、略円板状の底板８と、底板８の周縁に形成された周壁９とを備え、底板８の上面には発光部２及び受光部３が設けられている。また、光学基台１には、周壁９に沿うようにして複数のラビリンス壁４が設けられており、この複数のラビリンス壁４で囲まれた部分が煙感知室Ａとなる。発光部２及び受光部３は、回路基板１０の上面に取り付けられた発光ダイオードＬ及びフォトダイオードＰを収容するものであり、光学基台１を回路基板１０上に設置することにより、発光ダイオードＬ及びフォトダイオードＰは発光部２及び受光部３にそれぞれ収容される。
【００１３】
防虫カバー１２は、虫や埃等が煙感知室Ａ内に入らないように防虫網１３を有した構造としており、その下端部が光学基台１の周壁９と嵌合するよう構成されている。また、防虫カバー１２の上面にはスピーカ１４が嵌合されるようになっている。保護カバー１５は有底円筒状に形成され、側面には開口部１６が形成されており、外部の煙は、この開口部１６を経て防虫カバー１２における防虫網１３の開口を通って煙感知室Ａ内に侵入するようになっている。また、保護カバー１５の上面にはスピーカ１４の警報音を外部に流すための音孔１７が複数設けられている。
【００１４】
次に図１に基づいて煙感知室Ａを備えた光学基台１の内部構造について説明する。光学基台１上には、発光部２、受光部３、複数のラビリンス壁４、遮光壁５、仕切部材７を備えている。
【００１５】
発光部２には発光ダイオードＬが収容されており、発光部２の先端から煙感知室Ａの中心側に向かって光を出射している。受光部３にはフォトダイオードＰが収容されており、受光部３における煙感知室Ａの中心側の先端から光を受光している。そして、発光部２及び受光部３の光軸Ｄが交わる周辺は感煙領域Ｂとなり、この領域に煙が流入すると、発光部２からの出射光が煙で乱反射し、受光部３で受光されるようになる。
【００１６】
また、煙感知室Ａには、発光部２と受光部３とで挟まれて、且つ、感煙領域Ｂを含まない狭領域Ｃ（図１の点線楕円で示した領域）が形成されている。この狭領域Ｃは、発光部２及び受光部３が障壁となるために、外部から煙が流入しにくい領域となる。
【００１７】
遮光壁５は、発光部２及び受光部３の先端に介在して設置されており、発光部２からの出射光が直接受光部３で受光されるのを防いでいる。仕切部材７は、狭領域Ｃのいずれかのラビリンス壁４の先端と、遮光壁５とを繋ぐ板体であって、狭領域Ｃに流入した煙を感煙領域Ｂ側へと誘導するものである。
【００１８】
次に、本願発明の特徴である第一の誘導壁６ａ及び第二の誘導壁６ｂについて説明する。受光部３の先端における狭領域Ｃとは反対側には、先端が三角に尖った五角柱形状の第一の誘導壁６ａが設けられており、発光部２の先端における狭領域Ｃとは反対側には、同様に先端が三角に尖った五角柱形状の第二の誘導壁６ｂが設けられている。第一の誘導壁６ａの高さ寸法は、図２（図１のＸ−Ｘ矢視断面図）に示すように、光学基台１の最上面から受光レンズ３１の上端までの高さとなっており、受光部３での受光を妨げない程度の高さ寸法となっている。これは、第二の誘導壁６ｂも同様であり、発光部２からの出射光よりも上側に配置されるような高さ寸法となっている。
【００１９】
ここで、狭領域Ｃに流入した煙は図３に示した矢印の経路Ｒ１、Ｒ２を通って感煙領域Ｂへと誘導される。具体的には、受光部３側から狭領域Ｃに流入した煙は、仕切部材７に衝突することで受光部３先端側に誘導され、受光部３の先端に沿って直進する煙は、第一の誘導壁６ａに衝突し、感煙領域Ｂへと誘導される。また、発光部２側から狭領域Ｃに流入した煙は、仕切部材７に衝突することで発光部２の先端側に誘導され、発光部２の先端に沿って直進する煙は、第二の誘導壁６ｂに衝突し、感煙領域Ｂへと誘導される。
【００２０】
したがって、上述のように仕切部材７を設けたことにより、狭領域Ｃで滞留してしまう煙を感煙領域Ｂ側へと誘導することができ、更に、第一の誘導壁６ａ及び第二の誘導壁６ｂを設けたことにより、受光部３及び発光部２の先端に沿って素通りしてしまう煙を感煙領域Ｂへと誘導することができる。そして、このように狭領域Ｃに流入した煙を感煙領域Ｂへ誘導する構造とすることで、もともと煙の流入しにくい狭領域Ｃ方向からの煙の感知が遅れるのを防ぐことができる。
【００２１】
ところで、第一の誘導壁６ａの先端は三角に尖った形状となっているが、これは先端面を傾斜させることで、発光部２からの出射光及び外部からの光が第一の誘導壁６ａで反射して受光部３に入光するのを防ぐものである。同様に、第二の誘導壁６ｂの先端も三角に尖った形状となっているが、これは外部からの光が第二の誘導壁６ｂで反射して受光部３に入光するのを防ぐものである。
【００２２】
ただし、本願発明の第一の誘導壁６ａ及び第二の誘導壁６ｂの形状は、この実施形態に記載した形状に限定されるものではない。また、第一の誘導壁６ａは、図５に示す別の実施形態のように受光レンズ３１よりも下側に設けられていてもよい。そして、第二の誘導壁６ｂについても、同様に、発光部２の光が出射される位置よりも下側に設けられていてもよい。なお、第一の誘導壁６ａ及び第二の誘導壁６ｂはそれぞれ単独で設けられていてもよい。
【図面の簡単な説明】
【００２３】
【図１】本願発明の第一の実施形態である煙感知器の煙感知室を示す図。
【図２】同煙感知器における煙感知室のＸ−Ｘ矢視断面図。
【図３】同煙感知器の煙の経路を示す説明図。
【図４】同煙感知器を示す分解斜視図。
【図５】本願発明の別の実施形態である煙感知器の煙感知室を示す断面図。
【図６】従来例である煙感知器の煙感知室を示す断面図。
【符号の説明】
【００２４】
１  光学基台
２  発光部
３  受光部
４  ラビリンス壁
５  遮光壁
６ａ  第一の誘導壁
６ｂ  第二の誘導壁
Ａ  煙感知室
Ｂ  感煙領域
Ｃ  狭領域
【図１】
2008310730.tif 000003
【図２】
2008310730.tif 000004
【図３】
2008310730.tif 000005
【図４】
2008310730.tif 000006
【図５】
2008310730.tif 000007
【図６】
2008310730.tif 000008